【手続補正書】
【提出日】平成18年12月18日(2006.12.18)
【手続補正１】
【補正対象書類名】明細書
【補正対象項目名】特許請求の範囲
【補正方法】変更
【補正の内容】
【特許請求の範囲】
【請求項１】
ホスト装置と通信ネットワークを介して接続して使用可能なプリンタであって、
前記ホスト装置上で実行可能なプログラムであって、これを前記ホスト装置が実行することにより前記ホスト装置をして通信ネットワークを介して当該プリンタに投入されたジョブに関する情報を管理できるようにするための管理プログラムを記憶したプログラム記憶手段と、
前記ホスト装置が受け付けた第１のユーザの操作に基づく管理プログラム取得要求を受け付け、当該管理プログラム取得要求に応答して、前記プログラム記憶手段に記憶されている管理プログラムを、前記通信ネットワークを通じて前記ホスト装置へ送信するプログラム送信手段と、を備え、
前記第１のユーザ操作は、前記ホスト装置のディスプレイ画面上に表示された、当該プリンタの印刷設定を行うための画面に対する、前記管理プログラムの取得を要求するためのユーザ操作である
ことを特徴とするプリンタ。
【請求項２】
当該プリンタのジョブに関する情報を記憶する管理情報記憶手段と、
当該プリンタのジョブ状態を随時チェックし、前記ジョブに関する情報を更新するジョブ情報更新手段と、
前記ホスト装置が前記管理プログラムを実行しているときに受け付けた第２のユーザ操作に応じて前記ホスト装置が送信した管理情報取得要求を受信し、当該管理情報取得要求に応答して、前記管理情報記憶手段に記憶されている現在のジョブに関する情報を、前記通信ネットワークを通じて前記ホスト装置へ送信する管理情報送信手段と、をさらに備える請求項１記載のプリンタ。
【請求項３】
前記ホスト装置が前記管理プログラムを実行しているときに受け付けた第３のユーザ操作に応じて前記ホスト装置から選択されているジョブのキャンセルの情報を受信し、当該情報に応答して、当該ジョブの破棄を実行する破棄手段、をさらに備える請求項１又は請求項２に記載のプリンタ。
【請求項４】
前記破棄手段は、前記選択されているジョブが印刷中であれば、当該ジョブの未印刷の部分を破棄し、前記選択されているジョブが印刷待ちであれは、当該ジョブの全部を破棄することを特徴とする請求項３に記載のプリンタ。
【請求項５】
前記ホスト装置に当該プリンタのＩＰアドレス及び動作状態に関する情報を送信するプリンタ情報送信手段を更に備える請求項１乃至請求項４のいずれか一項に記載のプリンタ。
【請求項６】
複数台のプリンタと通信ネットワークを介して接続されたホスト装置であって、
前記複数台のプリンタの中から任意のプリンタを選択する選択手段と、
前記選択手段によって選択されたプリンタに投入されたジョブに関する情報を管理できるようにするための管理プログラムを取得する取得手段と、
前記取得手段が取得した管理プログラムを起動するプログラム起動手段と、を備え、
前記プログラム起動手段によって起動された管理プログラムは、前記選択されたプリンタに投入されたジョブに関する情報を取得し、当該ジョブに関する情報を当該ホスト装置のディスプレイ画面上に表示することを特徴とするホスト装置。
【請求項７】
複数台のプリンタと、少なくとも１台のホスト装置とが通信ネットワークを介して接続されたネットワークシステムであって、
前記複数台のプリンタの各々は、
前記ホスト装置と通信ネットワークを介して接続して使用可能なプリンタであって、
前記ホスト装置上で実行可能なプログラムであって、これを前記ホスト装置が実行することにより前記ホスト装置をして通信ネットワークを介して当該プリンタに投入されたジョブに関する情報を管理できるようにするための管理プログラムを記憶したプログラム記憶手段と、
前記ホスト装置が受け付けた第１のユーザの操作に基づく管理プログラム取得要求を受け付け、当該管理プログラム取得要求に応答して、前記プログラム記憶手段に記憶されている管理プログラムを、前記通信ネットワークを通じて前記ホスト装置へ送信するプログラム送信手段と、を備え、
前記第１のユーザ操作は、前記ホスト装置のディスプレイ画面上に表示された、当該プリンタの印刷設定を行うための画面に対する、前記管理プログラムの取得を要求するためのユーザ操作であり、
前記ホスト装置は、
前記複数台のプリンタの中から任意のプリンタを選択する選択手段と、
前記選択手段によって選択されたプリンタに投入されたジョブに関する情報を管理できるようにするための管理プログラムを取得する取得手段と、
前記取得手段が取得した管理プログラムを起動するプログラム起動手段と、を備え、
前記プログラム起動手段によって起動された管理プログラムは、前記選択されたプリンタに投入されたジョブに関する情報を取得し、当該ジョブに関する情報を当該ホスト装置のディスプレイ画面上に表示する
ことを特徴とするネットワークシステム。
【請求項８】
プリンタのホスト装置上で実行可能なプログラムであって、これを前記ホスト装置が実行することにより前記ホスト装置をして通信ネットワークを介して前記プリンタに投入されたジョブに関する情報を管理できるようにするための管理プログラムを記憶するステップと、
前記ホスト装置が受け付けた、前記ホスト装置のディスプレイ画面上に表示された、当該プリンタの印刷設定を行うための画面に対する、前記管理プログラムの取得を要求するための第１のユーザの操作に基づく管理プログラム取得要求を受け付けるステップと、
当該管理プログラム取得要求に応答して、前記プログラム記憶手段に記憶されている管理プログラムを、前記通信ネットワークを通じて前記ホスト装置へ送信するステップと、を有するプログラム送信方法。
【請求項９】
プリンタのホスト装置上で実行可能なプログラムであって、これを前記ホスト装置が実行することにより前記ホスト装置をして通信ネットワークを介して前記プリンタに投入されたジョブに関する情報を管理できるようにするための管理プログラムを記憶するステップと、
前記ホスト装置が受け付けた、前記ホスト装置のディスプレイ画面上に表示された、当該プリンタの印刷設定を行うための画面に対する、前記管理プログラムの取得を要求するための第１のユーザの操作に基づく管理プログラム取得要求を受け付けるステップと、
当該管理プログラム取得要求に応答して、前記プログラム記憶手段に記憶されている管理プログラムを、前記通信ネットワークを通じて前記ホスト装置へ送信するステップと、をコンピュータに実行させるためのプログラムを記録したコンピュータ読み取り可能な記録媒体。
【請求項１０】
複数台のプリンタの中から任意のプリンタを選択するステップと、
ホスト装置のディスプレイ画面上に表示された、前記選択されたプリンタの印刷設定を行うための画面に対する、第１のユーザの操作に基づいて、前記選択されたプリンタに投入されたジョブに関する情報を管理するための管理プログラムを取得するステップと、
前記取得した管理プログラムを起動するステップと、
前記起動された管理プログラムにより、前記選択されたプリンタに投入されたジョブに関する情報を取得し、当該取得した前記ジョブに関する情報をディスプレイ画面上に表示するステップと、を有するプリンタの管理情報の表示方法。
【請求項１１】
複数台のプリンタの中から任意のプリンタを選択するステップと、
ホスト装置のディスプレイ画面上に表示された、前記選択されたプリンタの印刷設定を行うための画面に対する、第１のユーザの操作に基づいて、前記選択されたプリンタに投入されたジョブに関する情報を管理するための管理プログラムを取得するステップと、
前記取得した管理プログラムを起動するステップと、
前記起動された管理プログラムにより、前記選択されたプリンタに投入されたジョブに関する情報を取得し、当該取得したジョブに関する情報をディスプレイ画面上に表示するステップと、をコンピュータに実行させるためのプログラムを記録したコンピュータ読み
取り可能な記録媒体。